(57)【特許請求の範囲】
【請求項１】
携帯機器本体に開閉動可能に取り付けられた偏平な中空の開閉体の内部にマイクロホンが１つ装備されている携帯型通信機器において、
上記１つのマイクロホンは、表裏いずれの側からも振動板に音圧が加わるように構成された双指向性マイクロホンであり、上記開閉体の内側壁部と外側壁部とに内側音孔と外側音孔とが各別に開設され、それらの各音孔がこの開閉体の内部に形成された各別の音路を介して上記振動板の表面と裏面とに各別に臨まされていると共に、それらの音孔の開設箇所が、上記開閉体の開閉動中心位置に対する遠近方向に位置ずれしていることを特徴とする携帯型通信機器。
【請求項２】
上記内側音孔の開設箇所が、上記外側音孔の開設箇所よりも開閉体の開閉動中心位置に対し遠ざかった箇所に位置している請求項１に記載した携帯型通信機器。
【請求項３】
上記マイクロホンは、近接した音源に対して感度が高くなり離遠した音源に対して感度が低くなる機能を備えた接話型マイクロホンであり、上記内側音孔がその開閉体の自由端に近い位置に偏在され、上記外側音孔が上記開閉動中心位置に近い位置に偏在されている請求項１又は請求項２に記載した携帯型通信機器。
【請求項４】
上記マイクロホンは、上記開閉体の開閉動中心位置に近い箇所で、その開閉体の内部に配備され、上記内側音孔につながる音路の長さよりも、上記外側音孔につながる音路の長さを短くしている請求項３に記載した携帯型通信機器。
【請求項５】
携帯機器本体に開閉動可能に取り付けられた偏平な中空の開閉体の内部に１つ装備される携帯型通信機器用マイクロホン装置において、
振動板を内蔵しかつその振動板によって内部空間が前室と後室とに仕切られた中空の筐体に上記前室に臨む前側音孔と上記後室に臨む後側音孔とが開設され、前側音孔が、上記開閉体の内部に形成された音路を介してその開閉体の内側壁部の自由端に近い位置に偏在された内側音孔に臨み、かつ、後側音孔が、上記開閉体の内部に形成された別の音路を介してその開閉体の開閉動中心位置に近い位置に偏在された外側音孔に臨んでいることを特徴とする携帯型通信機器用マイクロホン装置。
【請求項６】
上記開閉体の開閉動中心位置に近い箇所で、その開閉体の内部に配備され、上記内側音孔につながる音路の長さよりも、上記外側音孔につながる音路の長さを短くしている請求項５に記載した携帯型通信機器用マイクロホン装置。
【発明の詳細な説明】
【０００１】
【発明の属する技術分野】
本発明は、携帯型通信機器及び同機器用マイクロホンに関する。
【０００２】
【従来の技術】
特開平１１−３２１０７号公報（第１先行例）に携帯型通信機器についての記載がある。この携帯型通信機器では、機器本体に開閉自在に蝶着されたフリップ部内にマイクを内装し、上記フリップの内フリップと外フリップとに、上記マイクへ集音するための集音孔をそれぞれ開口することによって、フリップを閉じているときには外フリップの集音孔を通じてマイクに集音するようにし、フリップを開いているときには内フリップの集音孔を通じてマイクに集音するようにした技術が開示されている。また、この公報には、携帯型通信機器としてコードレス電話機や携帯電話機が掲げられているほか、外フリップの集音孔と内フリップの集音孔との両方の開設箇所を、フリップの開閉動中心位置から離れた自由端に近い位置に位置させることが記載されている。
【０００３】
特開平１１−３０８３１４号公報（第２先行例）に電話装置についての記載がある。この電話装置では、本体に開閉自在に取り付けられた可動部材の内部に、振動板を挟む両側に音孔をそれぞれ有する接話型マイクロホン（接話型エレクトレットコンデンサマイクロホン）を装備させると共に、それらの音孔を可動部材の自由端に近い箇所に位置させてある。そして、この電話装置では、可動部材を閉じたときには、一方側の音孔が閉塞されかつ他方側の音孔が開いたままになって上記接話型マイクロホンが無指向性マイクロホンとして機能し、可動部材を開いたときには、両方の音孔が開いたままになり、一方側の音孔の近くの音源に対しては近接効果が得られて通話品質が向上するようになっている。
【０００４】
さらに、特開平１１−１７７６６４号公報（第３先行例）には、携帯電話機用マイクロホン装置についての記載がある。これによると、携帯電話機の前面を折畳み式に覆うフリップの内部に無指向性マイクロホンを内蔵させると共に、フリップの長手方向中央部の前面及び背面に音孔を設けてある。また、この携帯電話機用マイクロホン装置では、フリップの前面の音孔を通過した音波及びフリップの背面の音孔を通過した音波の両方が、無指向性マイクロホンの前面に到達するようになっている。
【０００５】
【発明が解決しようとする課題】
しかしながら、第１〜第３の各先行例には次に説明する問題点がある。
第１先行例の携帯型通信機器は、フリップを形成している外フリップと内フリップとにそれぞれ設けられている集音孔が、いずれもフリップの自由端に近い箇所に位置しているので、たとえばフリップを開いたときに内フリップの集音口が口元に位置するようになっていると、フリップを閉じたときには外フリップの集音口が口元から離れてしまう。そのため、フリップを開いたときと閉じたときとで、マイクに加わる音圧差が大きくなって通話品質に顕著な差異が生じるという問題がある。このため、フリップに内装したマイクとして、第２先行例に見られるような接話型マイクロホンを用いた場合には、フリップを閉じたときに口元（音源）が接話型マイクロホンの振動板から遠い箇所に位置するようになるので、その接話型マイクロホンの感度が上がらなくなって通話品質が極端に低下することになると考えられる。
【０００６】
第２先行例の電話装置は、可動部材を開いているときだけ接話型マイクロホンが近接効果を発揮し、可動部材を閉じたときには接話型マイクロホンを無指向性マイクロホンとして機能させるようにしているので、接話型マイクロホンを採用しているものでありながら、可動部材を閉じたときにその接話型マイクロホンの近接効果による通話品質の向上作用を発揮させることができなくなる。また、この第２先行例において、可動部材を開いたときと閉じたときとの両方で接話型マイクロホンの近接効果が発揮され得る構成とした場合を仮定したとしても、接話型マイクロホンの内側と外側の各音孔が可動部材の自由端に近い箇所に位置しているため、可動部材を開いたときに口元が音孔の近くに位置して接話型マイクロホンが近接効果を発揮するようになっている場合には、可動部材を閉じたときには口元が音孔から離れて接話型マイクロホンによる近接効果を期待し得なくなる。
【０００７】
第３先行例の携帯電話機用マイクロホン装置では、フリップの長手方向中央部の前面及び背面に音孔を設けてあるので、フリップを閉じたときでも開いたときでも口元と音孔との位置関係が同じ状態になる。しかし、フリップに内蔵されているマイクロホンの振動板に音波が到達する経路が、フリップを開いたときと閉じたときとで異なっていて、特にフリップを閉じたときにはフリップの背面の音孔を経た音波がマイクロホンの筐体の周囲を迂回してマイクロホンの前面に到達するようになっているので、フリップを閉じているときの通話品質が低下するということが考えられる。
【０００８】
本発明は以上の状況の下でなされたものであり、第１〜第３の各先行例で開示されているフリップや可動部材に相応する開閉体を開いたときでも閉じたときでも同程度の通話品質を得られるように構成することが可能な携帯型通信機器を提供することを目的とする。
【０００９】
また、本発明は、接話型マイクロホンを用いた場合に、開閉体を開いたときでも閉じたときでも、その接話型マイクロホンの近接効果によって通話品質が向上するような携帯型通信機器を提供することを目的とする。
【００１０】
さらに、本発明は、上記各目的を達成するのに好適に採用し得る携帯型通信機器用マイクロホン装置を提供することを目的とする。
【００１１】
【課題を解決するための手段】
本発明に係る携帯型通信機器は、携帯機器本体に開閉動可能に取り付けられた偏平な中空の開閉体の内部にマイクロホンが１つ装備されている。そして、上記１つのマイクロホンは、表裏いずれの側からも振動板に音圧が加わるように構成された双指向性マイクロホンであり、上記開閉体の内側壁部と外側壁部とに内側音孔と外側音孔とが各別に開設され、それらの各音孔がこの開閉体の内部に形成された各別の音路を介して上記振動板の表面と裏面とに各別に臨まされていると共に、それらの音孔の開設箇所が、上記開閉体の開閉動中心位置に対する遠近方向に位置ずれしている。
【００１２】
この構成であると、開閉体を開いているときは、内側音孔から入った音波が音路を経て振動板の表面側からその振動板に作用し、開閉体を閉じているときは、外側音孔から入った音波が別の音路を経て振動板の裏面側からその振動板に作用する。そのため、開閉体が閉じているときに音波がマイクロホンの筐体を迂回するような音路を形成しなくて済み、そのために、開閉体を開いているときと閉じているときとで同等の通話品質を得やすくなる。また、音孔の開設箇所が、上記開閉体の開閉動中心位置に対する遠近方向に位置ずれしているという構成を採用しているので、一方の音孔の位置と他方の音孔の位置とを個別に定めることが可能になる。そのため、開閉体を開いたときと閉じたときとで口元（音源）に対する音孔の位置関係を同じような関係にすることや、開閉体を開いたときと閉じたときとの両方で音孔の位置を口元に近い位置に定めることが容易であり、そのことが、通話品質を向上させることに役立つ。
【００１３】
本発明では、上記内側音孔の開設箇所が、上記外側音孔の開設箇所よりも開閉体の開閉動中心位置に対し遠ざかった箇所に位置していることが望ましく、そのように構成すると、開閉体を開いたときと閉じたときとの両方で音孔の位置が口元に近い位置になって通話品質が向上する。
【００１４】
本発明において、上記マイクロホンは、近接した音源に対して感度が高くなり離遠した音源に対して感度が低くなる機能を備えた接話型マイクロホンであり、上記内側音孔がその開閉体の自由端に近い位置に偏在され、上記外側音孔が上記開閉動中心位置に近い位置に偏在されていることが望ましい。これによると、開閉体を開いたときと閉じたときとの両方で音孔の位置が口元に近い位置になり、しかも、マイクロホンに接話型マイクロホンが用いられているために、開閉体を開いたときと閉じたときとの両方で接話型マイクロホンの近接効果が発揮されて優れた通話品質が得られる。なお、接話型マイクロホンの構成や近接効果については実施形態の項で詳細に説明する。また、上記マイクロホンは、上記開閉体の開閉動中心位置に近い箇所で、その開閉体の内部に配備され、上記内側音孔につながる音路の長さよりも、上記外側音孔につながる音路の長さを短くすることが望ましい。
【００１５】
本発明に係る携帯型通信機器用マイクロホン装置は、携帯機器本体に開閉動可能に取り付けられた偏平な中空の開閉体の内部に装備される携帯型通信機器用マイクロホン装置において、振動板を内蔵しかつその振動板によって内部空間が前室と後室とに仕切られた中空の筐体に上記前室に臨む前側音孔と上記後室に臨む後側音孔とが開設され、前側音孔が、上記開閉体の内部に形成された音路を介してその開閉体の内側壁部の自由端に近い位置に偏在された内側音孔に臨み、かつ、後側音孔が、上記開閉体の内部に形成された別の音路を介してその開閉体の開閉動中心位置に近い位置に偏在された外側音孔に臨んでいる、というものである。また、上記携帯型通信機器用マイクロホン装置は、上記開閉体の開閉動中心位置に近い箇所で、その開閉体の内部に配備され、上記内側音孔につながる音路の長さよりも、上記外側音孔につながる音路の長さを短くすることが望ましい。
【００１６】
この発明では、前側音孔から前室に入った音波の圧力と後側音孔から後室に入った音波の圧力の両方が振動板に加わる。その際、音源が、前側音孔に近い位置で後側音源から遠い位置に存在していると、振動板の前面と後面とに加わる音波の圧力に顕著な差が生じ、振動板の前面に加わる圧力がその後面に加わる圧力に比べて格段に大きくなる。そのため、前側音孔から前室に入った音波に対して高感度を示し、後側音孔から後室に入った音波に対する感度が極端に低くなり、その結果、Ｓ／Ｎ比の大きな（ノイズの少ない）集音が可能になる。これが接話型マイクロホンの近接効果（ノイズキャンセル効果）である。これとは逆に、音源が、後側音孔に近い位置で前側音源から遠い位置に存在していると、振動板の前面と後面とに加わる音波の圧力に顕著な差が生じ、振動板の後面に加わる圧力がその前面に加わる圧力に比べて格段に大きくなる。そのため、後側音孔から後室に入った音波に対して高感度を示し、前側音孔から前室に入った音波に対する感度が極端に低くなり、その結果、Ｓ／Ｎ比の大きな（ノイズの少ない）集音が可能になる。したがって、この場合も、接話型マイクロホンの近接効果が発揮される。
【００１７】
また、前側音孔が、開閉体の内部に形成された音路を介してその開閉体の内側壁部の自由端に近い位置に偏在された内側音孔に臨み、かつ、後側音孔が、開閉体の内部に形成された別の音路を介してその開閉体の開閉動中心位置に近い位置に偏在された外側音孔に臨んでいるので、開閉体を開いたときと閉じたときとの両方で接話型マイクロホンの近接効果が発揮されて優れた通話品質が得られる。
【００１８】
【発明の実施の形態】
図１及び図２は本発明に係る携帯型通信機器としての携帯電話機の概略側面図であって、図１は開閉体２を開いた状態、図２は開閉体２を閉じた状態を示している。図３は開閉体２についての図１のＩＩ拡大矢視図、図４は図３のＩＶ−ＩＩＶ線に沿う部分を拡大した概略断面図、図５は開閉体２についての図１のＶ矢視図、図６は接話型マイクロホン５の概略側面図、図７は図６のＶＩＩ矢視図、図８は図６のＶＩＩＩ矢視図、図９は同マイクロホン５の構造説明図、図１０は同マイクロホン５の特性曲線図である。
【００１９】
図１及び図２において、１は携帯機器本体、２は開閉体であり、携帯機器本体１の下端部に位置している開閉動中心を形成するヒンジ３を介して両者が連結されている。携帯機器本体１の表面側には受話用音孔のほか、操作用押ボタンやディスプレイなどが配備されている。開閉体２は偏平な中空に形成されていて、その内側壁部２２と外側壁部２４とに内側音孔２６と外側音孔２７とが各別に開設されている。これらの音孔２６，２７の開設箇所は、開閉体２の開閉動中心位置（ヒンジ３の中心位置）に対する遠近方向に位置ずれしている。具体的には、内側音孔２６が開閉体２の自由端に近い位置に偏在され、外側音孔２７が開閉動中心位置に近い位置に偏在されている。図１及び図２には、内側音孔２６の開設箇所を三角印Ｍ１で示し、外側音孔２７の開設箇所を三角印Ｍ２で示してある。
【００２０】
開閉体２の内部に次に説明するマイクロホン５が装備されている。すなわち、図４のように、マイクロホン５は、偏平に形成されていて、ヒンジ３に近い箇所で、開閉体２の内側壁部２１に設けられた支持体２３と外側壁部２４に設けられたリング状の支持体２５とにより挟持されてそれらの壁部２１，２４の相互間の中間位置に配備されている。このマイクロホン５は双指向性の接話型マイクロホンである。図６〜図８のように、このマイクロホン５では、開口をシールド板５３で塞いでなる偏平な円形の筐体５１の前板部５２と上記シールド板５３とに前側音孔５４と後側音孔５５とを開設してある。筐体５１の内部には振動板６１と配線基板５６（図９参照）とが収容されていて、配線基板の一部が筐体５１の外側に突出され、その突出部５６にアース端子５７と出力端子５８とが備わっている。また、図９に説明的に示したように、中空の筐体５１の内部が、振動板６１によって前室６２と後室６３とに仕切られていて、上記前側音孔５４が前室に臨み、上記後側音孔５５が後室６３に臨んでいる。
【００２１】
図３及び図４のように、開閉体２の内側壁部２２に仕切り板部２８が設けられており、この仕切り板部２８で取り囲まれた空間によって、内側音孔２６とマイクロホン５の前側音孔５４（図７参照）とをつなぐ音路６４が形成されているのに対し、開閉体２の外側壁部２４に設けられたリング状の上記支持体２５で取り囲まれた空間によって、外側音孔２７とマイクロホン５の後側音孔５５（図８参照）とをつなぐ音路６５が形成されている。
【００２２】
図９で説明した基本構成を備える接話型マイクロホンでは、前側音孔５４から前室６２に入った音波の圧力と後側音孔５５から後室６３に入った音波の圧力の両方が振動板６１に加わる。その際、音源が、前側音孔５４に近い位置で後側音源５５から遠い位置に存在していると、振動板６１の前面と後面とに加わる音波の圧力に顕著な差が生じ、振動板６１の前面に加わる圧力がその後面に加わる圧力に比べて格段に大きくなる。そのため、前側音孔５４から前室６２に入った音波に対して高感度を示し、後側音孔５５から後室６３に入った音波に対する感度が極端に低くなり、その結果、Ｓ／Ｎ比の大きな（ノイズの少ない）集音が可能になる。接話型マイクロホンの近接効果である。これとは逆に、音源が、後側音孔５５に近い位置で前側音源から遠い位置に存在していると、振動板６１の前面と後面とに加わる音波の圧力に顕著な差が生じ、振動板６１の後面に加わる圧力がその前面に加わる圧力に比べて格段に大きくなる。そのため、後側音孔５５から後室６３に入った音波に対して高感度を示し、前側音孔５４から前室６２に入った音波に対する感度が極端に低くなり、その結果、Ｓ／Ｎ比の大きな（ノイズの少ない）集音が可能になる。この場合も、接話型マイクロホンの近接効果が発揮される。
【００２３】
この近接効果を説明した特性曲線を図１０に例示してある。同図において、実線は振動板の至近箇所（１ｃｍ）に音源がある場合の特性曲線を示し、破線は振動板から遠方に離れた箇所（５０ｃｍ）に音源がある場合の特性曲線を示している。これから判るように、接話型マイクロホンでは、音源が振動板の至近箇所に存在しているときには、実線のように高感度が発揮され、音源が振動板から遠方に離れた箇所に存在しているときには、破線のように低い感度しか示さなくなり、その結果、Ｓ／Ｎ比の極めて大きな集音が可能になる。
【００２４】
以上説明した実施形態の携帯型通信機器によると、開閉体２を開いているとき（図１）は、内側音孔２６から入った音波が音路６４とマイクロホン５の前側音孔５４とを経て振動板６１の表面側からその振動板６１に作用し、開閉体２を閉じているとき（図２）は、外側音孔２７から入った音波が別の音路６５とマイクロホン５の後側音孔５５とを経て振動板６１の裏面側からその振動板６１に作用する。そのため、開閉体２が閉じているときに音波がマイクロホン５の筐体５１を迂回するような音路を形成しなくて済み、そのために、開閉体２を開いているときと閉じているときとで同等の通話品質を得やすくなる。特に、内側音孔２６の開設箇所が開閉体２の自由端に近い位置に偏在され、外側音孔２７が開閉体２の開閉動中心位置に近い位置に偏在されているので、開閉体２を開いたときと閉じたときとの両方で音孔の位置が口元に近い位置になり、しかも、マイクロホン５に接話型マイクロホンが用いられているために、開閉体を開いたときと閉じたときとの両方で接話型マイクロホンの近接効果が発揮されて優れた通話品質が得られる。
【００２５】
この実施形態では、開閉体２を閉じたときの外側音孔２７と口元との距離よりも、開閉体２を開いたときの内側音孔２６と口元との距離が短くなるようにしてあるのに対し、内側音孔２６とマイクロホン５の前側音孔５４とをつなぐ音路６４の長さよりも、外側音孔２７とマイクロホン５の後側音孔５５とをつなぐ音路６６の長さを短くしてある。そのため、開閉体２を開いて通話を行うときと開閉体２を閉じて通話を行うときとの両方で、接話型マイクロホンの近接効果が一様に得られる。したがって、開閉体２を開いていても閉じていてもＳ／Ｎ比の極めて大きな安定した一様な通話品質が得られるという利点がある。
【００２６】
【発明の効果】
以上のように、本発明に係る携帯型通信機器や同マイクロホン装置によれば、開閉体を開いたときでも閉じたときでもＳ／Ｎ比の極めて大きな同程度の通話品質が得られるようになる。
【図面の簡単な説明】
【図１】  本発明に係る携帯型通信機器としての携帯電話機において、開閉体を開いた状態での概略側面図である。
【図２】  同携帯電話機において、開閉体を閉じた状態での概略側面図である。
【図３】  開閉体についての図１のＩＩＩ拡大矢視図である。
【図４】  図３のＩＶ−ＩＶ線に沿う部分を拡大した概略断面図である。
【図５】  開閉体についての図１のＶ矢視図である。
【図６】  接話型マイクロホンの概略側面図である。
【図７】  図６のＶＩＩ矢視図である。
【図８】  図６のＶＩＩＩ矢視図である。
【図９】  同マイクロホンの構造説明図である。
【図１０】  同マイクロホンの特性曲線図である。
【符号の説明】
１  携帯機器本体
２  開閉体
５  マイクロホン
２２  内側壁部
２４  外側壁部
２６  内側音孔
２７  外側音孔
６１  振動板
６４，６５  音路
【図１】
0003746217.tif 000002
【図２】
0003746217.tif 000003
【図３】
0003746217.tif 000004
【図４】
0003746217.tif 000005
【図５】
0003746217.tif 000006
【図６】
0003746217.tif 000007
【図７】
0003746217.tif 000008
【図８】
0003746217.tif 000009
【図９】
0003746217.tif 000010
【図１０】
0003746217.tif 000011